(57)【特許請求の範囲】
【請求項１】
原稿を複数の色成分に分解して読み取り，画像信号として出力する画像読取手段と，前記画像読取手段が出力する画像信号に所定の処理を施した後，原稿の無彩部分を含む該画像信号の示す色の鮮やかさに応じた所定の２つの色の混合比で記録すべく該画像信号を変換する画像処理手段と，前記画像処理手段により変換された画像信号に基づいて複製画像を出力する記録手段とを有することを特徴とするカラー複写機。
【請求項２】
前記カラー複写機は，記録すべき色を指定する色指定手段を有し，前記画像処理手段は，前記色指定手段で指定された色を，前記所定の色の１つとすることを特徴とする請求項１記載のカラー複写機。
【請求項３】
前記画像処理手段は，無彩色軸を中心として放射状に広がる平面で色空間を分割し，前記画像信号が該分割された空間のどこに属するかを判定し，各空間毎に所定のマスキング係数を用いて色補正を行う色補正手段を有することを特徴とする請求項１または２記載のカラー複写機。
【発明の詳細な説明】
【０００１】
【発明の属する技術分野】
本発明は，所定の色で構成された複製画を出力するカラー複写機に関し，特に，より優れた操作性で良好な画像を得ることのできるカラー複写機に関する。
【０００２】
【従来の技術】
２つの色で構成された複製画を出力するカラー複写機に関するものとしては，特開平５−３７７９７号公報に開示されたもの（第１の従来例）がある。本従来例は，原稿を複数の色成分に分解して読み取って得た画像信号（Ｒ，Ｇ，Ｂ）の比が，ほぼ１：１：１であるか否かを判定し，モノクロ用２値化処理とカラー用２値化処理を選択駆動する画像入力装置である。
【０００３】
また第２の従来例として，特開平６−１５２９９５号公報に開示されたものもある。本従来例は，原稿を複数の色成分に分解して読み取って得た画像信号（Ｃ，Ｍ，Ｙ）の最小値Ｍｉｎ（Ｃ，Ｍ，Ｙ）等から黒記憶信号を生成し，画像信号（Ｃ，Ｍ，Ｙ）から最小値Ｍｉｎ（Ｃ，Ｍ，Ｙ）を引いた残りから赤記録信号を生成し，黒及び赤で構成された複製画を出力する画像形成装置である。
【０００４】
更に，実際の製品としては，（株）リコー製の「ＰＲＥＴＥＲ５５０」等（第３の従来例）があり，本従来例は，複数の変換元の色とそれに対応する変換先の色をそれぞれ指定することができる色変換機能を有するフルカラー複写機である。
【０００５】
【発明が解決しようとする課題】
しかしながら，第１の従来例（特開平５−３７７９７号公報）の画像入力装置においては，画像信号（Ｒ，Ｇ，Ｂ）の比で２値的に判定しているため，画像信号の各成分の値が小さい色（黒或いは高濃度の灰色等）を処理した時に，画像信号に含まれるノイズ成分（画像信号のばらつき）の影響もあり，本来，モノクロと判定すべきところをカラーと誤判定してしまうという問題があった。また，判定を行なう際の境界がはっきりしているため，境界付近の色に対しても判定がばらつくという問題もあった。結果として，第１の従来例の画像入力装置では良好な色画像を得ることができなかった。
【０００６】
また，原稿等で使用される色は理想的な色ではなく一般に不要吸収がある（特に赤や青は不要吸収成分が多い）ことが知られているが，第２の従来例（特開平６−１５２９９５号公報）の画像形成装置においては，黒記録信号の生成に際して，画像信号（Ｃ，Ｍ，Ｙ）の最小値Ｍｉｎ（Ｃ，Ｍ，Ｙ）を使用しており，色の部分にも黒が記録されてしまうという問題があった。この結果として，第２の従来例の画像形成装置では良好な２色画像を得ることができなかった。
【０００７】
一方，第３の従来例（リコー製ＰＲＥＴＥＲ５５０等）のカラー複写機においては，複数の変換元の色とそれに対応する変換先の色をそれぞれ指定する必要があるので，操作が繁雑であるという問題があった。
【０００８】
本発明は，上記従来の問題点に鑑みてなされたものであって，所定の色で構成された複製画を出力するカラー複写機において，良好な画像を得ることのできるカラー複写機を提供することを目的としている。
【０００９】
また本発明の他の目的は，所定の色で構成された複製画を出力するカラー複写機の操作性を向上することである。
【００１１】
【課題を解決するための手段】
上記の目的を達成するために，請求項１に記載の発明に係るカラー複写機は，原稿を複数の色成分に分解して読み取り，画像信号として出力する画像読取手段と，前記画像読取手段が出力する画像信号に所定の処理を施した後，原稿の無彩部分を含む該画像信号の示す色の鮮やかさに応じた無彩色を含む所定の２つの色の混合比で記録すべく該画像信号を変換する画像処理手段と，前記画像処理手段により変換された画像信号に基づいて複製画像を出力する記録手段とを備えるものである。
【００１２】
また，請求項２に係るカラー複写機は，請求項１記載のカラー複写機において，前記カラー複写機は，記録すべき色を指定する色指定手段を備え，前記画像処理手段は，前記色指定手段で指定された色を，前記所定の色の１つとするものである。
【００１３】
更に，請求項３に係るカラー複写機は，請求項１または２記載のカラー複写機において，画像処理手段は，無彩色軸を中心として放射状に広がる平面で色空間を分割し，前記画像信号が該分割された空間のどこに属するかを判定し，各空間毎に所定のマスキング係数を用いて色補正を行う色補正手段を備えるものである。
【００１４】
【発明の実施の形態】
以下，本発明のカラー複写機の概要について，並びに，本発明のカラー複写機の実施例について，順に図面を参照して詳細に説明する。
【００１５】
〔本発明のカラー複写機の概要〕
本発明の請求項１に係るカラー複写機では，図１及び図２に示す如く，画像読取手段１０１によって，原稿１０３を複数の色成分に分解して読み取り，画像信号として出力し，画像処理手段１１１では，画像読取手段１０１が出力する画像信号に所定の処理を施した後，該画像信号の示す色が有彩の場合と無彩の場合とに応じて，それぞれを所定の色に記録すべく該画像信号を変換し，記録手段１０２によって，画像処理手段１１１により変換された画像信号に基づいて複製画像を出力するようにしている。
【００１６】
これにより，誤判定や原稿の色による判定のばらつきが少なく，且つ，黒等が不必要に混在することが少なく，更に良好な画像を得ることが可能な，所定の色で構成された複製画を出力するカラー複写機を実現することができる。
【００１７】
また，請求項２に係るカラー複写機では，図１及び図２に示す如く，画像読取手段１０１によって，原稿１０３を複数の色成分に分解して読み取り，画像信号として出力し，画像処理手段１１１では，画像読取手段１０１が出力する画像信号に所定の処理を施した後，該画像信号の示す色の鮮やかさに応じた所定の２つの色の混合比で記録すべく該画像信号を変換し，記録手段１０２によって，画像処理手段１１１により変換された画像信号に基づいて複製画像を出力するようにしている。
【００１８】
これにより，誤判定や原稿の色による判定のばらつきが少なく，且つ，黒等が不必要に混在することが少なく，良好な２色画像を得ることが可能な，所定の色で構成された複製画を出力するカラー複写機を実現することができる。
【００１９】
また，請求項３に係るカラー複写機では，図２に示す如く，色指定手段２０１によって，記録すべき色を指定することとし，画像処理手段１１１では，色指定手段２０１で指定された色を，前記所定の色の１つとして画像信号の変換を行い，記録手段１０２により，該変換された画像信号に基づいて複製画像を出力するようにしている。これにより，色の指定が簡単となり，良好な画像を得ることの可能な，所定の色で構成された複製画を出力するカラー複写機の操作性を向上させることができる。
【００２０】
更に，請求項４に係るカラー複写機では，図２に示す如く，画像処理手段１１１の色補正手段２１４によって，無彩色軸を中心として放射状に広がる平面で色空間を分割し，前記画像信号が該分割された空間のどこに属するかを判定し，各空間毎に所定のマスキング係数を用いて色補正を行うようにしている。
【００２１】
これにより，例えば，原稿の無彩部分をそのままの色で再現し，原稿の持つ色の鮮やかさが増すに従って指定された色の混合比が増すような２色カラーモードの処理や，原稿の色が無彩に近い色の場合はブラックトナーのみで記録し，比較的彩度の高い色の場合は指定された色で記録するような２色カラーモードの処理を，特殊なハードウェアを追加することなく，マスキング係数を求めて設定するだけで実現できる。
【００２２】
〔実施例〕
図１は本発明の一実施例に係るカラー複写機の機構部の概略構成図である。また図２は，本実施例のカラー複写機の電装部の概略構成図である。
【００２３】
図１を参照すると，本実施例のカラー複写機の機構部は，主に，原稿を読み取るスキャナユニット１０１と，記録紙に画像を記録するプリンタユニット１０２とを含んでいる。
【００２４】
先ず，スキャナユニット１０１に注目すると，原稿１０３はプラテン１０４上の所定の位置に置かれ，ハロゲンランプ１０５ａ及び１０５ｂにより照明されている。原稿１０３からの反射光は，第１ミラー１０６，第２ミラー１０７，第３ミラー１０８及びレンズ１０９を経てカラーラインイメージセンサであるＣＣＤ１１０に結像され，ＣＣＤ１１０により画像信号に光電変換される。ここで，ハロゲンランプ１０５ａ及び１０５ｂ並びに第１ミラー１０６は図示しない第１キャリッジに，第２ミラー１０７及び第３ミラー１０８は図示しない第２キャリッジにそれぞれ搭載されており，原稿１０３読み取り時には，図示しないキャリッジ駆動モータにより第１キャリッジ及び第２キャリッジが２：１の速度比で左から右へ移動する。これにより，プラテン１０４上に置かれた原稿１０３の全面が走査される。
【００２５】
ＣＣＤ１１０で光電変換された画像信号は，画像処理ユニット１１１等で各種処理を施された後，プリンタユニット１０２の図示しないＬＤ（レーザ・ダイオード）に入力され，ここでレーザ光に変換される。
【００２６】
次に，プリンタユニット１０２に注目すると，ＬＤから出射されたレーザ光は，ポリゴンミラー１１２で反射され，ｆθレンズ１１３及び第４ミラー１１４を経て，反時計方向に回転している感光体ドラム１１５上に結像照射される。ここで，ポリゴンミラー１１２はポリゴンモータ１１６の回転軸に固着されており，ポリゴンモータ１１６は一定速度で回転してポリゴンミラー１１２を回転駆動している。また，ポリゴンミラー１１２の回転により，上述のレーザ光は感光体ドラム１１５の回転移動方向と垂直な方向，即ちドラム軸に沿う方向に走査される。
【００２７】
感光体ドラム１１５の表面は，図示しない高圧発生装置に接続された帯電チャージャ１１７により，予め一様な負電位に帯電されている。また，レーザ光が感光体ドラム１１５に照射されると，光導電現象で表面の電荷がドラム本体の機器アースに流れて消滅する。ここで，原稿濃度の淡い部分はＬＤを強く点灯し，原稿濃度の濃い部分はＬＤを弱く点灯する。これにより感光体ドラム１１５の表面には，ポリゴンミラー１１２による主走査と感光体ドラム１１５の回転による副走査とで，原稿の濃淡に応じた静電潜像が形成される。
【００２８】
現像ユニット１１８は，ブラック，シアン，マゼンタ及びイエローの負帯電したトナーをそれぞれ収容する現像部Ｋ，Ｃ，Ｍ及びＹを有しており，何れか１つの現像部が選択されている。選択された現像部は，図示しない高圧発生装置により所定の負電位にバイアスされ，上記静電潜像を現像して，原稿の濃淡に応じたトナー像を感光体ドラム１１５の表面に形成する。
【００２９】
転写ベルト１１９は，図示しない高圧発生装置により所定の正電位にバイアスされており，感光体ドラム１１５と同速度で時計方向に回転している。また上記トナー像は，感光体ドラム１１５と転写ベルト１１９が接近する間に，バイアスの作用により引き寄せられて転写ベルト１１９の表面に転写される。
【００３０】
ここで，原稿１０３の読み取り，静電潜像の形成，トナー像の転写動作は，必要な回数繰り返される。即ち，フルカラーモードの場合は４回行われ，それぞれＫ，Ｃ，Ｍ及びＹの順で現像部が選択され，形成されたトナー像は位置合わせをした上で，転写ベルト１１９の表面で重ね合わされる。またブラック，シアン，マゼンタ及びイエローの各モードの場合は１回だけ行われ，それぞれ現像部Ｋ，Ｃ，Ｍ及びＹが選択される。また，レッド，グリーン及びブルーの各モードの場合は２回だけ行われ，それぞれＭとＹ，ＣとＹ及びＣとＭの順で現像部が選択される。また，原稿色，登録色及び２色モードの場合は，指定された色に応じて必要となる回数の動作と呼応する現像部の選択が行われる。
【００３１】
一方，給紙カセット１２０ａ及び１２０ｂにはそれぞれ記録紙１２１ａ及び１２１ｂが収納されており，どちらかの給紙カセット１２０ａまたは１２０ｂが選択されている。選択されている給紙カセット１２０ａまたは１２０ｂ，例えば給紙カセット１２０ａの記録紙１２１ａは，給紙コロ１２２ａの給紙動作により繰り出され，レジストローラ１２３ａ及び１２３ｂに到達する。レジストローラ１２３ａ及び１２３ｂは初め停止しており，回転する転写ベルト１１９上のトナー像の位置に応じて所定のタイミングで回転を開始し，記録紙１２１ａを送り出す。
【００３２】
転写チャージャ１２４は図示しない正電圧の高圧発生装置に接続されており，転写ベルト１１９上のトナー像は，転写チャージャ１２４の作用により，送り出された記録紙１２１ａに再転写される。尚，記録紙１２１ａにトナー像を再転写する時は，転写ベルト１１９のバイアスを解除して，再転写を促進している。
【００３３】
トナー像が再転写された記録紙１２１ａは，熱定着ユニット１２５ａ及び１２５ｂに送られ，そこでトナー像が記録紙１２１ａに固着され，機外に排出される。
【００３４】
尚，転写後も感光体ドラム１１５の表面に残留したトナーはクリーニングユニット１２６で除去され，感光体ドラム１１５は次の動作に備える。また再転写後も，転写ベルト１１９の表面に残留したトナーはクリーニングユニット１２７で除去され，転写ベルト１１９は次の動作に備えることとなる。
【００３５】
次に図２を参照すると，本実施例のカラー複写機の電装部は，主に，上述したスキャナユニット１０１，画像処理ユニット１１１，プリンタユニット１０２，処理モード選択等の入力の検出及び表示を行う操作表示ユニット２０１，並びに，これら各ユニットの制御回路と通信を行いカラー複写機２０２の全体の動作を制御するシステム制御ユニット２０３を含んでいる。尚，本実施例のカラー複写機２０２は，ＬＡＮ（ローカル・エリア・ネットワーク）接続装置２０４と接続されており，ＬＡＮ２０５に接続されたワークステーション２０６やパーソナルコンピュータ２０７等の他の機器と，ＬＡＮ接続装置２０４を介して画像信号の入出力を行なう。
【００３６】
先ず，スキャナユニット１０１に注目すると，上述のＣＣＤ１１０は入射光をＲＧＢ（赤緑青）の３色に色分解した後，光電変換して，３種類のアナログ画像信号をＡ／Ｄ変換回路２０８に出力する。Ａ／Ｄ変換回路２０８では，入力された画像信号をそれぞれデジタル信号に変換すると共に，上述のハロゲンランプ１０５ａ及び１０５ｂの原稿照明むら，ＣＣＤ１１０内部の受光素子の感度むら，並びに，暗電流に対する補正等の処理も行なう。
【００３７】
またスキャナ制御回路２０９では，システム制御ユニット２０３と通信を行なうと共に，スキャナユニット１０１全体を制御している。例えば，Ａ／Ｄ変換回路２０８の動作制御，ハロゲンランプ１０５ａ及び１０５ｂの点灯制御，並びに，キャリッジ駆動モータ２１０の回転制御等を行なう。また原稿サイズセンサ２１１は，プラテン１０４に置かれた原稿１０３の大きさを検出するセンサであって，その検出結果をスキャナ制御回路２０９に出力している。
【００３８】
一方，Ａ／Ｄ変換回路２０８で変換された画像信号は，画像処理ユニット１１１のγ変換回路２１２に入力される。次に，画像処理ユニット１１１について説明する。
【００３９】
γ変換回路２１２は，ＬＡＮ接続装置２０４にも接続されており，Ａ／Ｄ変換回路２０８またはＬＡＮ接続装置２０４から入力される画像信号を濃度等に比例した画像信号に階調変換し，像域分離回路２１３及び色補正回路２１４に出力する。また設定によっては，γ変換回路２１２は，Ａ／Ｄ変換回路２０８から入力された画像信号を階調変換してＬＡＮ接続装置２０４に出力することもある。
【００４０】
像域分離回路２１３は，入力された画像信号に基づいて，処理を行なっている画像部分が文字等の線画か否か，白黒画像かカラー画像かを判定する回路であって，その結果を示す判定信号を色補正回路２１４に出力する。
【００４１】
また領域制御回路２１５は，画像の部分領域毎に異なる画像処理を施すための切り換え信号を発生する回路であって，その切り換え信号を色補正回路２１４に出力する。
【００４２】
色補正回路２１４では，γ変換回路２１２からの画像信号を，上述の如く選択される現像部に応じたトナーの記録量に変換する色補正処理を行なうと共に，エッジ強調や平滑化等の２次元フィルタ処理等も行なう。ここで，これらの処理は，上記判定信号や切り換え信号により制御されている。
【００４３】
例えば，判定信号が線画であればエッジ強調気味のフィルタ処理を行い，また非線画であれば平滑化気味のフィルタ処理を行なう。また，切り換え信号により，判定信号の意味するところに拘らず所定のフィルタ処理を行うこともある。色補正処理も同様で，例えば，切り換え信号に応じてフルカラーモードやブラックモードに適したトナー記録量に変換したり，またフルカラーモードにおいて，判定信号が線画で且つ白黒画像であればＵＣＲ（下色除去；Ｕｎｄｅｒ  Ｃｏｌｏｒ  Ｒｅｍｏｖａｌ）率を１００［％］に，非線画またはカラー画像であればＵＣＲ率を７０［％］にする変換を行うこともある。
【００４４】
色補正回路２１４からは，トナー記録量に変換された１種類の画像信号，判定信号及び切り換え信号が出力され，変倍回路２１６に入力される。
【００４５】
変倍回路２１６では，色補正回路２１４からの３種の信号を主走査方向に拡大／縮小する変倍処理を行うと共に，温湿度等で変動するプリンタユニット１０２の記録特性（画像信号対トナー記録量特性）を補正するγ補正処理や，主走査方向の１または数画素と副走査方向の１または数画素とを１単位とし，解像度または階調性を重視した階調表現をする階調処理等を行なう。
【００４６】
ここでγ補正処理及び階調処理は，上記判定信号や切り換え信号により制御されており，例えば，判定信号が線画であれば解像度を重視した階調処理を行い，非線画であれば階調性を重視した階調処理を行なう。また階調処理の種類によって上述の記録特性が変化するため，階調処理に連動して異なるγ補正処理も行なう。更に切り換え信号により，判定信号の意味するところに拘らず所定の階調処理またはγ補正処理を行なうこともある。
【００４７】
尚，原稿１０３の副走査方向を拡大／縮小する変倍処理は，上述のキャリッジ駆動モータ２１０の回転制御により行なっている。また，変倍回路２１６はＬＡＮ接続装置２０４にも接続されており，上記処理が施された画像信号またはＬＡＮ接続装置２０４から入力される画像信号を，切り換え信号と共にイレース回路２１７に出力する。尚，設定によって変倍回路２１６は，上記処理が施された画像信号をＬＡＮ接続装置２０４に出力することもある。
【００４８】
イレース回路２１７では，入力された切り換え信号と設定に応じて，入力された画像信号を固定の信号値（例えば最もトナーを付着させない値）に置き換える。これは，上述の原稿サイズセンサ２１１で検出された原稿１０３の大きさや，選択された給紙カセット１２０ａ及び１２０ｂに収納された記録紙１２１ａ及び１２１ｂの大きさに応じて，不要な画像が記録されないようにするために行なうものである。
【００４９】
また画像処理制御回路２１８では，システム制御ユニット２０３と通信を行なうと共に，システム制御ユニット２０３からの要求に応じて，上述したγ変換回路２１２，像域分離回路２１３，色補正回路２１４，領域制御回路２１５，変倍回路２１６及びイレース回路２１７の設定等を行ない，画像処理ユニット１１１全体を制御している。
【００５０】
一方，イレース回路２１７から出力された画像信号は，プリンタユニット１０２のＬＤ駆動回路２１９に入力される。次に，プリンタユニット１０２について説明する。
【００５１】
先ずＬＤ駆動回路２１９では，入力された画像信号に応じてパルス幅変調やパワー変調等を行なってＬＤ（レーザ・ダイオード）２２０を駆動し，これによってＬＤ２２０の点灯強度を調整している。
【００５２】
またプリンタ制御回路２２１では，システム制御ユニット２０３と通信を行なうと共に，プリンタユニット１０２全体を制御している。例えばＬＤ駆動回路２１９を制御してＬＤ２２０を強制消灯したり，ポリゴンモータ１１６，感光体ドラム１１５を回転駆動するドラム駆動モータ２２２及び転写ベルト１１９を回転駆動するベルト駆動モータ２２３等の回転制御，また現像ユニット１１８の現像部Ｋ，Ｃ，Ｍ及びＹの選択制御，高圧電源２２４の各負荷（例えば帯電チャージャ，現像部，転写ベルト１１９，転写チャージャ１２４等）毎の出力制御，更に熱定着ユニット１２５の温度制御等々を行なう。尚，プリンタユニット１０２は，上述の給紙カセット１２０ａ及び１２０ｂ毎に，収納された記録紙１２１ａ及び１２１ｂの大きさを検出する図示しない紙サイズセンサを有しており，その検出結果はプリンタ制御回路２２１に出力されている。
【００５３】
最後に操作表示ユニット２０１について説明する。操作表示ユニット２０１は，原稿１０３上の所定の範囲・位置等を入力するためのデジタイザ２２５，各種モードの選択肢や設定状態等を表示する表示部と該表示部の押下位置を検出する検出部が一体となったＴＰＤ（タッチ・パネル・ディスプレイ）２２６，コピー枚数やコピー開始等を入力するためのキーボード２２７，並びに，操作表示制御回路２２８から構成されている。
【００５４】
操作表示制御回路２２８では，ＴＰＤ２２６に各モードの選択肢等を表示してキー入力等を促したり，デジタイザ２２５，ＴＰＤ２２６及びキーボード２２７からの入力を検出して，ＴＰＤ２２６に設定された状態を表示すると共に，システム制御ユニット２０３と通信を行なって入力結果を送信する等の動作を行なっている。
【００５５】
次に，ＴＰＤ２２６における表示画面例を図３に示し，本実施例のカラー複写機における全体的な制御の流れを図３に基づいて説明する。
【００５６】
カラー複写機の電源が投入されると，操作表示制御回路２２８は初期状態になり，図３（ａ）に示すような標準画面を表示する。図３（ａ）の画面右側の表示部分「写真」，「文字」及び「標準」は画質モード選択用の領域であり，操作者がこの表示部分を押下すると，それぞれ写真画像に適した写真モード，文字画像に適した文字モード，及び，写真・文字混在画像に適した標準モードが選択される。例えば表示部分「文字」が押下されると，操作表示制御回路２２８は該操作を検出して，図３（ｂ）に示すように表示部分「文字」に枠を表示し，文字モード選択が認識されたことを操作者に伝える。
【００５７】
また操作表示制御回路２２８では，システム制御ユニット２０３に文字モード用の設定を要求する。システム制御ユニット２０３はこれを受けて画像処理制御回路２１８に文字モード用の設定を要求し，画像処理制御回路２１８は該設定要求を受けて領域制御回路２１５，色補正回路２１４及び変倍回路２１６等の設定を行なう。例えば，これらの回路が判定信号の意味するところに拘らず，エッジ強調気味のフィルタ処理，解像度を重視した階調処理，並びに，これに合うγ補正処理を行なうように設定される。
【００５８】
また表示部分「カラー選択」はカラーモード選択画面呼び出し用の領域であり，操作者がこの表示部分を押下すると，操作表示制御回路２２８は該操作を検出して，図３（ｃ）に示すようなカラーモード選択画面を表示する。これによって操作者はフルカラーモードをはじめとする各種カラーモードの選択が可能になる。例えば，図３（ｃ）に示す状態で操作者が表示部分「ブラック」を押下すると，操作表示制御回路２２８は該操作を検出して，図３（ｄ）に示すような画面を表示し，ブラックモード選択が認識されたことを操作者に伝える。
【００５９】
また操作表示制御回路２２８では，これを受けて画像処理制御回路２１８にブラックモード用の設定を要求する。システム制御ユニット２０３はこれを受けて画像処理制御回路２１８にブラックモード用の設定を要求し，画像処理制御回路２１８は該設定要求を受けて領域制御回路２１５及び色補正回路２１４等の設定を行なう。例えば，色補正回路２１４がブラックモードに適したトナー記録量に変換する色補正処理を行なうように設定される。
【００６０】
更にシステム制御ユニット２０３では，プリンタ制御回路２２１等にもブラックモード用の動作制御を要求する。プリンタ制御回路２２１では，該動作制御要求を受けて，実際の複写動作に際して，現像部Ｋの選択や，原稿の読み取り，静電潜像の形成，トナー像の形成及びトナー像の転写動作を１回行なったら，転写ベルト１１９上のトナー像を記録紙に再転写させる等の動作制御を行なう。
【００６１】
次に，２色カラーモードが選択される場合の制御の流れを説明する。図３（ｃ）に例示したようなカラーモード選択画面の表示状態において，操作者が表示部分「２色カラー」を押下すると，操作表示制御回路２２８は，該操作を検出して図４（ａ）に示すような画面を表示し，レッドの２色カラーモード選択が認識されたことを操作者に伝える。
【００６２】
また操作表示制御回路２２８では，システム制御ユニット２０３にレッドの２色カラーモード用の設定を要求する。システム制御ユニット２０３はこれを受けて画像処理制御回路２１８にレッドの２色カラーモード用の設定を要求し，画像処理制御回路２１８は該設定要求を受けて領域制御回路２１５及び色補正回路２１４等の設定を行なう。例えば，色補正回路２１４がレッドの２色カラーモードに適したトナー記録量に変換する色補正処理を行なうように設定される。
【００６３】
またシステム制御ユニット２０３は，プリンタ制御回路２２１等にもレッドの２色カラーモード用の動作制御を要求する。プリンタ制御回路２２１では，該動作制御要求を受けて，実際の複写動作に際して，Ｋ，Ｍ，Ｙの順に現像部を選択すると共に，原稿の読み取り，静電潜像の形成，トナー像の形成及びトナー像の転写動作を３回行なった後，転写ベルト１１９上のトナー像を記録紙に再転写させる等の動作制御を行なう。
【００６４】
尚，２色カラーモードの中ではレッドが使用される割合が高いため，本実施例ではレッドがデフォルトで選択されるが，他の色の２色カラーモードも選択できる。即ち，図４（ａ）に示すような表示状態で，操作者が表示部分「色変更」を押下すると，操作表示制御回路２２８はこの操作を検出して，図４（ｂ）に示すような２色カラーモード色指定画面を表示する。これによって操作者は２色カラーモードにおける色指定が可能になる。例えば，図４（ｂ）に示す状態で操作者が表示部分「シアン」を押下すると，操作表示制御回路２２８はこの操作を検出して，図４（ｃ）に示すような画面を表示し，シアンの２色カラーモード選択が認識されたことを操作者に伝える。
【００６５】
また操作表示制御回路２２８は，システム制御ユニット２０３にシアンの２色カラーモード用の設定を要求する。システム制御ユニット２０３はこれを受けて画像処理制御回路２１８にシアンの２色カラーモード用の設定を要求し，画像処理制御回路２１８は該設定要求を受けて領域制御回路２１５及び色補正回路２１４等の設定を行なう。例えば，色補正回路２１４がシアンの２色カラーモードに適したトナー記録量に変換する色補正処理を行なうように設定される。
【００６６】
またシステム制御ユニット２０３は，プリンタ制御回路２２１等にもシアンの２色カラーモード用の動作制御を要求する。プリンタ制御回路２２１では，該動作制御要求を受けて，実際の複写動作に際して，Ｋ，Ｃの順に現像部を選択すると共に，原稿の読み取り，静電潜像の形成，トナー像の形成及びトナー像の転写動作を２回行なった後，転写ベルト１１９上のトナー像を記録紙に再転写させる等の動作制御を行なう。
【００６７】
また図４（ｂ）において，表示部分「登録色１」〜「登録色３」は，登録色１から登録色３（それぞれ現像部Ｃ，Ｍ，Ｙ及びＫの各記録値の組合せで，予め登録してある色）の２色カラーモードを選択する場合に押下され，表示部分「原稿色」は，原稿上の色を使って，２色カラーモードにおいて使用する色の指定を行う場合に押下される。例えば後者の場合，ＴＰＤ２２６に表示される手順に従って，色読み取り用原稿の所望する色のある位置を操作者がデジタイザ２２５で入力することになる。
【００６８】
この場合，システム制御ユニット２０３は，プラテン１０４上に置かれた色読み取り用原稿をスキャナ制御回路２０９に読み取らせると共に，画像処理制御回路２１８にデジタイザ２２５で入力された位置の画像信号をサンプリングさせる。更に，サンプリングした画像信号を元に最適な現像部Ｃ，Ｍ，Ｙ及びＫの記録値の組合せを画像処理制御回路２１８に決定させる。
【００６９】
このようにして決められた現像部Ｃ，Ｍ，Ｙ及びＫの記録値の組合せは，２色カラーモード用の設定要求と共に，システム制御ユニット２０３から画像処理制御回路２１８に送られる。画像処理制御回路２１８では，該設定要求を受けて領域制御回路２１５及び色補正回路２１４等の設定を行なう。つまり，色補正回路２１４が決められた現像部Ｃ，Ｍ，Ｙ及びＫの記録値の組合せの２色カラーモードに適したトナー記録量に変換する色補正処理を行なうように設定される。
【００７０】
またシステム制御ユニット２０３は，プリンタ制御回路２２１等にも決められた現像部Ｃ，Ｍ，Ｙ及びＫの記録値の組合せの２色カラーモードの動作制御を要求する。プリンタ制御回路２２１では，該動作制御要求を受けて，実際の複写動作に際して，現像部Ｋ，Ｃ，Ｍ，Ｙの順に現像部を選択すると共に（但し，記録値が”０”の場合は省略），原稿の読み取り，静電潜像の形成，トナー像の形成及びトナー像の転写動作を必要な回数行なった後，転写ベルト１１９上のトナー像を記録紙に再転写させる等の動作制御を行なう。
【００７１】
再度，図４（ｃ）を参照すると，この状態で操作者が図示しないキーボード２２７のコピー開始用のキーを押下すると，操作表示制御回路２２８はこの操作を検出して，システム制御ユニット２０３にコピー動作の開始を要求する。システム制御ユニット２０３では，該動作開始要求を受けて，スキャナ制御回路２０９やプリンタ制御回路２２１等の制御回路にコピー動作の開始を要求する。更に各ユニットの制御回路では，該動作開始要求を受けて各ユニットを制御し，上述のようなコピー動作を行なって，所望の色の２色カラーコピーを排出する。
【００７２】
また，図４（ｃ）のような表示状態において，操作者が表示部分「カラー選択」を押下すると，再度，図３（ｃ）に類似した画面が表示されるので，操作者は，表示部分「２色カラー」以外の表示部分を押下することで，２色カラーモードの選択を解除することができる。
【００７３】
以上のように，本実施例のカラー複写機では，カラーモード選択画面において，表示部分「２色カラー」を押下するだけで２色カラーモードの設定が行なえるので，２色コピーの操作が極めて容易になっている。また，本実施例では，２色カラーモード色指定画面において，所望の色の表示部分を押下するだけで２色カラーコピーモードの色設定が行なえるので，２色コピーの色指定操作も容易になっている。
【００７４】
次に，上述した色補正回路２１４が行なう色補正処理について，図５を参照して説明する。尚，以下の説明では，現像部Ｃ，Ｍ，Ｙ及びＫに応じたトナーの記録値を，Ｃ１，Ｍ１，Ｙ１及びＫ１の如く添え数字を付して表すものとする。
【００７５】
入力される画像信号の各成分をＲ，Ｇ，Ｂ（Ｒ＝Ｇ＝Ｂ＝０は白）とした時に，本実施例の色補正処理は，図５（ａ）に示すように，無彩色軸（Ｒ＝Ｇ＝Ｂ）を中心として放射状に広がる平面で，色空間（Ｒ，Ｇ，Ｂ）を分割して行なわれる。即ち，入力された画像信号（Ｒ，Ｇ，Ｂ）が分割された空間のどこに属するかを判定し，その後，各空間毎に予め設定したおいたマスキング係数を用いて色補正処理を行なう。
【００７６】
尚，各空間のマスキング係数は，図５（ｂ）に示すような無彩色軸上の異なる２点（Ｒ１，Ｇ１，Ｂ１）及び（Ｒ２，Ｇ２，Ｂ２）と，無彩色軸上にない両境界面上の２点（Ｒ３，Ｇ３，Ｂ３）及び（Ｒ４，Ｇ４，Ｂ４）の，計４点のＲ，Ｇ，Ｂの値と，その色の再現に最適な現像部Ｃ，Ｍ，Ｙ及びＫの記録値（Ｃ１，Ｍ１，Ｙ１，Ｋ１），（Ｃ２，Ｍ２，Ｙ２，Ｋ２），（Ｃ３，Ｍ３，Ｙ３，Ｋ３）及び（Ｃ４，Ｍ４，Ｙ４，Ｋ４）を予め決めておき，以下に示す演算により求める。
【数１】
0003611907.tif 000002
【００７７】
ここで，各点の現像部Ｃ，Ｍ，Ｙ及びＫの記録値はＵＣＲ（下色除去）前の等価無彩色濃度換算値とする。
【００７８】
尚，以下では説明を簡略にするため，無彩色軸上の２点を白点と黒点とする。この場合，等価無彩色濃度換算値が取り得る最大値をＸｍａｘ  とすれば，各値には以下のような関係がある。
白点の場合  Ｒ１＝Ｇ１＝Ｂ１＝Ｃ１＝Ｍ１＝Ｙ１＝０≧Ｋ１
黒点の場合  Ｒ２＝Ｇ２＝Ｂ２＝Ｃ２＝Ｍ２＝Ｙ２＝Ｘｍａｘ  ≧Ｋ２
【００７９】
また，両境界面上の２点は，現像部Ｃ，Ｍ，及びＹの記録値の最小値が”０”で，記録値の最大値がＸｍａｘ  となる点，即ち，各境界面上で記録可能な，最も彩度が高い点とすると良い。
Ｍｉｎ（Ｃ３，Ｍ３，Ｙ３）＝０≧Ｋ３
Ｍａｘ（Ｃ３，Ｍ３，Ｙ３）＝Ｘｍａｘ
Ｍｉｎ（Ｃ４，Ｍ４，Ｙ４）＝０≧Ｋ４
Ｍａｘ（Ｃ４，Ｍ４，Ｙ４）＝Ｘｍａｘ
【００８０】
また，ここで，現像部Ｋの記録値を現像部Ｃ，Ｍ及びＹの記録値の最小値から，例えば以下のように決定しておくことで，ＵＣＲ率を制御することもできる。
ＵＣＲ率１００％の場合：  Ｋ＝Ｍｉｎ（Ｃ，Ｍ，Ｙ）
ＵＣＲ率  ７０％の場合：  Ｋ＝Ｍｉｎ（Ｃ，Ｍ，Ｙ）×０．７
【００８１】
従って，図５（ａ）にように６つの境界面で色空間（Ｒ，Ｇ，Ｂ）を分割する場合は，少なくとも各境界面上の６点と無彩色軸上の２点の，計８点のＲ，Ｇ，Ｂの値と，その色の再現に最適な現像部Ｃ，Ｍ，Ｙ及びＫの記録値を予め決めておき，これらに基づいて各空間のマスキング係数を求める。
【００８２】
尚，以上の説明は原稿を忠実に再現するフルカラーモードの場合であり，２色モードの場合は若干異なる方法でマスキング係数を求める。即ち，本実施例の２色カラーモードでは，原稿の無彩（白〜灰色〜黒）部分をそのままの色で再現し，原稿の持つ色の鮮やかさが増すに従って指定された色の混合比が増すように処理を行なう。このため，上述の境界面上の点の現像部Ｃ，Ｍ，Ｙ及びＫの記録値の代わりに，指定された色の現像部Ｃ，Ｍ，Ｙ及びＫの記録値を用いてマスキング係数を求め，これによって上述の処理を実現する。
【００８３】
尚，上述の説明において境界面上の点を，現像部Ｃ，Ｍ及びＹの記録値の最小値が”０”で，各現像部Ｃ，Ｍ及びＹの記録値の最大値がＸｍａｘ  となる点にしたのは，原稿の色（色相）毎に鮮やかさと混合比の関係が不均一になるのを簡単に防ぐためである。勿論，マスキング係数を求める際に，この均一性を考慮して，代わりに用いる現像部Ｃ，Ｍ，Ｙ及びＫの記録値を補正するのであれば，上述の境界面上の点の条件は必須とはならない。
【００８４】
また，２色カラーモードにおいて，原稿の色が無彩（白〜灰色〜黒）に近い色の場合はブラックトナーのみで記録し，比較的彩度の高い色の場合は指定された色で記録するような処理を行なっても良い。この場合，黒点の現像部Ｃ，Ｍ及びＹの記録値を以下のように減少させた記録値（例えば，Ｘ２’＝０）とし，境界面上の点の現像部Ｃ，Ｍ，Ｙ及びＫの記録値に指定された色の現像部Ｃ，Ｍ，Ｙ及びＫの記録値を用いてマスキング係数を求める。これによって，上述したような処理が実現できる。
Ｒ２＝Ｇ２＝Ｂ２＝Ｋ２’＞Ｃ２’＝Ｍ２’＝Ｙ２’＝Ｘ２’
【００８５】
尚，上述のように，境界面上の点の現像部Ｃ，Ｍ，Ｙ及びＫの記録値を指定された色の現像部Ｃ，Ｍ，Ｙ及びＫの記録値としてマスキング係数を求めると，例えば明度の高い黄色や明度の低い青等が，同じ濃さの指定された色で再現される。しかし，以下のように，置き換えを行なう現像部Ｃ，Ｍ，Ｙ及びＫの記録値の大きさを，明るさの感覚量に類似した重み係数Ｗｒ，Ｗｇ，Ｗｂと境界面上の点のＲ，Ｇ，Ｂの値に応じて変え（Ｘ→Ｘ’），マスキング係数を求めるようにすれば，例えば明度の高い黄色等は薄く，明度の低い青等は濃い指定された色で再現することもできる。
【数２】
0003611907.tif 000003
【００８６】
次に，色補正回路２１４の具体的な構成例を図６に示し，色補正回路２１４の動作を詳細に説明する。
【００８７】
図６を参照すると，上述のγ変換回路２１２からの画像信号６０１ｒ，６０１ｇ及び６０１ｂは，それぞれフィルタ回路６０２ｒ，６０２ｇ及び６０２ｂに入力される。フィルタ回路６０２ｒ，６０２ｇ及び６０２ｂは，入力された画像信号６０１ｒ，６０１ｇ及び６０１ｂに対して，それぞれ図７に例示したような係数の２次元フィルタ処理を施す回路であり，フィルタ制御回路６０３からの制御信号６０４により１つのフィルタ係数が選択され，処理結果６０５ｒ，６０５ｇ及び６０５ｂを色変換回路６０６及び６０７に出力する。
【００８８】
またフィルタ回路６０２ｒ，６０２ｇ及び６０２ｂは，制御信号６０４に依らず，常に平滑化の処理（例えば図７（ａ）に示すフィルタ係数＃０）を施した処理結果６０８ｒ，６０８ｇ及び６０８ｂを係数選択回路６０９に出力する。尚，フィルタ制御回路６０３は，像域分離回路２１３からの判定信号６１０及び領域制御回路２１５からの切り換え信号６１１と，画像処理制御回路２１８による設定（設定信号６２０）とに応じて制御信号６０４を生成し出力するものであり，要求された画質モード等に応じて画像処理制御回路２１８は，図８に例示するような＃０から＃７のフィルタ係数が選択されるように，フィルタ制御回路６０３を設定する。
【００８９】
係数選択回路６０９は，入力された画像信号６０８ｒ，６０８ｇ及び６０８ｂが，図５（ａ）のような分割された色空間（Ｒ，Ｇ，Ｂ）のどこに属するかを判定し，その判定結果と判定信号６１０及び切り換え信号６１１とに応じて，画像処理制御回路２１８により設定された色（シアン，マゼンタ，イエロー）トナー記録用及びブラックトナー記録用のマスキング係数の１組を選択し，係数信号６１２及び６１３として色変換回路６０６及び６０７に出力する。
【００９０】
尚，図５（ａ）に示したような境界面を含む平面は一般に次式のように表現されるので，
ｒ×Ｒ＋ｇ×Ｇ＋ｂ×Ｂ＝０  （ｒ＋ｇ＋ｂ＝０）
各境界面毎に，次のような式を演算して，その演算結果の正負等を総合的に評価し，入力された画像信号（Ｒ，Ｇ，Ｂ）の所属する空間を判定している。
ｆ（Ｒ，Ｇ，Ｂ）＝ｒ×Ｒ＋ｇ×Ｇ＋ｂ×Ｂ
【００９１】
また，画像処理制御回路２１８は，要求されたカラーモード等に応じて，上述したような演算を行って各空間毎のマスキング係数を求め，設定信号６２０によって係数選択回路６０９に設定している。
【００９２】
色変換回路６０６及び６０７は，入力された画像信号６０５ｒ，６０５ｇ及び６０５ｂと係数信号６１２及び６１３とに基づいて，次式で表現されるマスキング処理を行なう演算回路で，それぞれ色トナー記録用の画像信号６１４とブラックトナー記録用の画像信号６１５を出力する。尚，実際には下式の演算の他に，結果が負の場合は”０”にする等の処理を行なっている。
Ｘ＝Ａｘｒ×Ｒ＋Ａｘｇ×Ｇ＋Ａｘｂ×Ｂ＋Ａｘ
【００９３】
ＵＣＲ（下色除去）回路６１６は，色トナー記録用の画像信号６１４からブラックトナー記録用の画像信号６１５を減算する回路で，その結果を色トナー記録用の画像信号６１７として出力する。尚，実際には減算の他に，結果が負の場合は”０”にする等の処理を行なっている。
【００９４】
選択回路６１８は，色変換回路６０７が出力するブラックトナー記録用の画像信号６１５またはＵＣＲ回路６１６が出力する色トナー記録用の画像信号６１７を選択出力する回路で，プリンタユニット１０２において現像部Ｋが選択されている場合はブラックトナー記録用の画像信号６１５が，現像部Ｃ，ＭまたはＹが選択されている場合は色トナー記録用の画像信号６１７を選択して，画像信号６１９として出力する。
【００９５】
以上のように，本実施例のカラー複写機では，無彩色軸（Ｒ＝Ｇ＝Ｂ）を中心として放射状に広がる平面で色空間（Ｒ，Ｇ，Ｂ）を分割して，入力された画像信号（Ｒ，Ｇ，Ｂ）が分割された空間のどこに属するかを判定し，その後，各空間毎に予め設定したおいたマスキング係数を用いて色補正処理を行なうようにしているので，原稿の無彩（白〜灰色〜黒）部分をそのままの色で再現し，原稿の持つ色の鮮やかさが増すに従って指定された色の混合比が増すような２色カラーモードの処理や，原稿の色が無彩（白〜灰色〜黒）に近い色の場合はブラックトナーのみで記録し，比較的彩度の高い色の場合は指定された色で記録するような２色カラーモードの処理を，特殊なハードウェアを追加することなく，マスキング係数を求めて設定するだけで実現できる。
【００９６】
また，本実施例のカラー複写機では，境界面上の点に代表される特定の色を消去しつつ，２色カラーモードの処理を実現することも容易である。即ち，この場合は，消去したい点（色）の現像部Ｃ，Ｍ，Ｙ及びＫの記録値を，指定された色の現像部Ｃ，Ｍ，Ｙ及びＫの記録値ではなく，例えば，以下のような値にする。これによって上述の処理を実現することができる。更に，上記特定の色を指定するための手段を設けても良い。
Ｃｘ＝Ｍｘ＝Ｙｘ＝Ｋｘ＝０
【００９７】
また，本実施例のカラー複写機では，境界面上の点に代表される特定の色を黒で記録しつつ，２色カラーモードの処理を実現することも容易である。即ち，この場合は，黒で記録したい点（色）の現像部Ｃ，Ｍ，Ｙ及びＫの記録値を，指定された色の現像部Ｃ，Ｍ，Ｙ及びＫの記録値ではなく，例えば，以下のような値にする。これによって上述の処理を実現することができる。更に，上記特定の色を指定するための手段を設けても良い。
Ｃｘ＝Ｍｘ＝Ｙｘ＝Ｘｍａｘ  ≧Ｋ
【００９８】
また，本実施例のカラー複写機では，原稿の無彩（白〜灰色〜黒）部分を無彩以外の特定の色で再現しつつ，２色カラーモードの処理を実現することも容易である。即ち，この場合は，黒点の現像部Ｃ，Ｍ，Ｙ及びＫの記録値を，特定の色の記録値にする。これによって上述の処理を実現することができる。更に，上記特定の色を任意に指定するための手段を設けても良い。
【００９９】
また，本実施例のカラー複写機では，２色カラーモードが選択された場合の複写動作に際して，選択された色に応じて，プリンタ制御回路２２１等が，原稿の読み取り，静電潜像の形成，トナー像の形成及びトナー像の転写動作を必要な回数行なった後，転写ベルト１１９上のトナー像を記録紙に再転写させる等の制御を行なうので，無駄な動作がなく，最短の時間で２色カラーモードの記録動作を終了することができる。
【０１００】
尚，本実施例のカラー複写機では，静電潜像形成手段が１つであるため静電潜像の形成を繰り返し行なっているが，静電潜像形成手段を複数有するカラー複写機等に適用しても良い。
【０１０２】
【発明の効果】
以上説明したように，本発明の請求項１に係るカラー複写機によれば，画像読取手段によって，原稿を複数の色成分に分解して読み取り，画像信号として出力し，画像処理手段では，画像読取手段が出力する画像信号に所定の処理を施した後，原稿の無彩部分を含む該画像信号の示す色の鮮やかさに応じた所定の２つの色の混合比で記録すべく該画像信号を変換し，記録手段によって，画像処理手段により変換された画像信号に基づいて複製画像を出力することとしたので，誤判定や原稿の色による判定のばらつきが少なく，且つ，黒等が不必要に混在することが少なく，良好な２色画像を得ることが可能な，所定の色で構成された複製画を出力するカラー複写機を提供することができる。
【０１０３】
また，請求項２に係るカラー複写機によれば，色指定手段によって，記録すべき色を指定することとし，画像処理手段では，色指定手段で指定された色を，前記所定の色の１つとして画像信号の変換を行い，記録手段により，該変換された画像信号に基づいて複製画像を出力することとしたので，色の指定が簡単となり，操作性の向上したカラー複写機を提供することができる。
【０１０４】
更に，請求項３に係るカラー複写機によれば，画像処理手段の色補正手段によって，無彩色軸を中心として放射状に広がる平面で色空間を分割し，前記画像信号が該分割された空間のどこに属するかを判定し，各空間毎に所定のマスキング係数を用いて色補正を行うこととしたので，例えば，各種の２色カラーモードの処理を特殊なハードウェアを追加することなく，マスキング係数を求めて設定するだけで実現できる。
【図面の簡単な説明】
【図１】本発明の一実施例に係るカラー複写機の機構部の概略構成図である。
【図２】実施例のカラー複写機の電装部の概略構成図である。
【図３】実施例のカラー複写機における全体的な制御の流れを説明する表示画面例の説明図（その１）である。
【図４】実施例のカラー複写機における全体的な制御の流れを説明する表示画面例の説明図（その２）である。
【図５】実施例のカラー複写機における色補正回路が行なう色補正処理の説明図である。
【図６】実施例のカラー複写機における色補正回路の具体的な構成図である。
【図７】実施例のカラー複写機におけるフィルタ回路で選択されるフィルタ係数の説明図である。
【図８】実施例のカラー複写機におけるフィルタ制御回路が選択設定するフィルタ係数を説明する説明図である。
【符号の説明】
１０１  スキャナユニット（画像読取手段）
１０２  プリンタユニット（記録手段）
１０３  原稿
１０４  プラテン
１０５ａ，１０５ｂ  ハロゲンランプ
１０６  第１ミラー
１０７  第２ミラー
１０８  第３ミラー
１０９  レンズ
１１０  カラーラインイメージセンサ（ＣＣＤ）
１１１  画像処理ユニット（画像処理手段）
１１２  ポリゴンミラー
１１３  ｆθレンズ
１１４  第４ミラー
１１５  感光体ドラム
１１６  ポリゴンモータ
１１７  帯電チャージャ
１１８  現像ユニット
１１９  転写ベルト
Ｋ，Ｃ，Ｍ，Ｙ  現像部
１２０ａ，１２０ｂ  給紙カセット
１２１ａ，１２１ｂ  記録紙
１２２ａ，１２２ｂ  給紙コロ
１２３ａ，１２３ｂ  レジストローラ
１２４  転写チャージャ
１２５ａ，１２５ｂ  熱定着ユニット
１２６，１２７  クリーニングユニット
２０１  操作表示ユニット（色指定手段）
２０２  カラー複写機
２０３  システム制御ユニット
２０４  ＬＡＮ接続装置
２０５  ＬＡＮ
２０６  ワークステーション
２０７  パーソナルコンピュータ
２０８  Ａ／Ｄ変換回路
２０９  スキャナ制御回路
２１０  キャリッジ駆動モータ
２１１  原稿サイズセンサ
２１２  γ変換回路
２１３  像域分離回路
２１４  色補正回路（色補正手段）
２１５  領域制御回路
２１６  変倍回路
２１７  イレース回路
２１８  画像処理制御回路
２１９  ＬＤ駆動回路
２２０  ＬＤ（レーザ・ダイオード）
２２１  プリンタ制御回路
２２２  ドラム駆動モータ
２２３  ベルト駆動モータ
２２４  高圧電源
２２５  デジタイザ
２２６  ＴＰＤ（タッチ・パネル・ディスプレイ）
２２７  キーボード
２２８  操作表示制御回路
６０１ｒ，６０１ｇ，６０１ｂ  画像信号
６０２ｒ，６０２ｇ，６０２ｂ  フィルタ回路
６０３  フィルタ制御回路
６０４  制御信号
６０５ｒ，６０５ｇ，６０５ｂ，６０８ｒ，６０８ｇ，６０８ｂ  処理結果
６０６，６０７  色変換回路
６０９  係数選択回路
６１０  判定信号
６１１  切り換え信号
６１２，６１３  係数信号
６１４，６１７  色トナー記録用の画像信号
６１５  ブラックトナー記録用の画像信号
６１６  ＵＣＲ（下色除去）回路
６１７  色トナー記録用の画像信号
６１８  選択回路
６１９  画像信号
６２０  設定信号
【図１】
0003611907.tif 000004
【図２】
0003611907.tif 000005
【図３】
0003611907.tif 000006
【図４】
0003611907.tif 000007
【図５】
0003611907.tif 000008
【図６】
0003611907.tif 000009
【図７】
0003611907.tif 000010
【図８】
0003611907.tif 000011